(57)【要約】【課題】  作業に必要とする複数の工具等のツールを保持するツールホルダー具において、工具類が変わっても、全体を交換せずに簡単、安価に保持できるようにする。【解決手段】  ベース板１３は、横断面あり溝状の係合溝１５を上端から下方に向けて複数平行に有する。ホルダー部１９は、ベース板１３の上端面から差し込まれる突条２１を当該背面側に有する。ホルダー部１９は、突条２１をベース板１３の係合溝１５に着脱可能に差し込み、ベース板１３に支持され工具を保持する。工具毎にその形状に合わせたホルダー部１９を複数形成し、工具に対応したホルダー部１９を適時交換してベース板１３に差し込み保持する。【選択図】  図５
2005335030.tif 000002
【特許請求の範囲】
【請求項１】
上方向に解放される開放部を有し上下方向に延びる複数の係合部を当該片面側に設けたベース板と、
前記開放部から前記係合部に着脱可能に差し込まれる差し込み部を当該背面側に突設させたホルダー部であって、前記係合部に前記差し込み部を差し込んで前記ベース板に支持されるとともにツールを保持するホルダー部と、
を具備することを特徴とするツールホルダー具。
【請求項２】
前記ベース板の前記係合部は垂下方向に設けられてなる請求項１記載のツールホルダー具。
【請求項３】
前記ホルダー部は、前記係合部に各々差し込まれる対をなす前記差し込み部を背面側に突設させてなる請求項１又は２記載のツールホルダー具。
【請求項４】
前記ホルダー部は左右に分割された半割部材からなり、個々の前記半割部材の背面側には対をなす前記差し込み部を突設させてなる請求項３記載のツールホルダー具。
【請求項５】
前記ベース板における複数の前記係合部は上下方向に逆ハ字状に形成され、前記ホルダー部を形成する前記半割部材における前記差し込み部は、当該各半割部材にて上下方向に逆ハ字状に形成されてなる請求項４記載のツールホルダー具。
【請求項６】
前記ベース板に設けた前記係合部は、横断面あり溝状の係合溝であり、前記ホルダー部に設けた前記差し込み部は、前記係合溝にはまり上下にスライド可能な横断面あり状突部である請求項１〜５のいずれか１項記載のツールホルダー具。
【請求項７】
前記ベース部は、この裏面にフック部が形成されてなる請求項１〜６記載のツールホルダー具。
【請求項８】
前記ベース部に設けた前記フック部は、ベルトに横方向から挿通されるものである請求項７記載のツールホルダー具。
【発明の詳細な説明】
【技術分野】
【０００１】
本発明はツールホルダー具に係り、例えば工具、パーツ（部品）、携帯器具などを保持して壁や作業者の腰などに備えることが可能なツールホルダー具の改良に関する。
【背景技術】
【０００２】
従来、工具、パーツ、携帯器具などのツールを作業者が身の回り、例えば腰に備える場合、図１３に示すような腰道具差しなどと呼ばれる工具差し１を用いることが知られている。
【０００３】
この工具差し１としては、例えば厚手の布や革からなる方形基板３に、同様な材料からなる帯状体５を横方向に置いて波形に膨出させるように縫いつけ、縦方向のポケット７を複数形成するとともに、方形基板３の上部背面側にはベルト９の挿通部（図示せず。）を形成してなる構成が知られている。
【０００４】
図１３中の符号１１は、方形基板３に帯状体５を縫いつけた縫い糸であり、ポケット７は下方に向かって先細りになって工具例えばペンチ、ニッパー、ハンマー、パーツ（図１３ではいずれも図示せず。）などの保持形状が形成され、抜け落ちないようになっている。
【０００５】
例えば、実開平６−３９３７８号公報（特許文献１）の図２に記載された工具袋の構成がその例である。
【特許文献１】実開平６−３９３７８号
【発明の開示】
【発明が解決しようとする課題】
【０００６】
しかしながら、作業者が必要とする工具は多種類あるうえ、近年では携帯電話器や携帯用測定器具などの携帯機器を身に付ける必要がある場合も多い一方、上述した工具差し１は、ペンチ、ニッパー、ハンマー、パーツなどに対して同一形状で間に合わせるように帯状体５を方形基板３に縫いつけ、専用のポケット７を形成した構成となっている。
【０００７】
そのため、１個の工具差し１では使用範囲が極めて限定され易い難点があるうえ、作業者が必要とする工具毎や、携帯電話器、携帯用測定器具毎にそれらの収納が可能な組合せに応じて複数種類の工具差し１を予め購入しておく必要があり、余分な費用が必要となるし、多数種類の工具や携帯器具の保持に簡単には対応できない。
【０００８】
さらに、作業者が工具差し１を交換する必要が生じると、常に使用可能性がある工具などを今まで使用してきた工具差し１から外し、これから使用開始する別の工具差し１に移し替える必要があり、取扱いが煩雑である。
【０００９】
このようなことは、作業者が腰に付ける工具差し１に限らず、工具、パーツ、携帯器具などを保持する一般的なツールホルダー具についても同様なことが言える。
【００１０】
特に最近では、作業者が身の回りに置くツールが増加する傾向にある一方、ファッション性良く形成された多機能のツールホルダー具が望まれている。
【００１１】
本発明はこのような課題を解決するためになされたもので、作業に必要とする工具、パーツ、携帯器具などが変わっても、全体を交換することなく一部のツールを簡単に交換保持可能で、余分な費用の発生を抑え、取扱いも簡単なツールホルダー具の提供を目的とする。
【課題を解決するための手段】
【００１２】
そのような課題を解決するために本発明は、上方向に開放される開放部を有し上下方向に延びる複数の係合部を当該片面側に設けたベース板と、その開放部からその係合部に着脱可能に差し込まれる差し込み部を当該背面側に突設させたホルダー部であって、その係合部にその差し込み部を差し込んで上記ベース板に支持されるとともにツールを保持するホルダー部と、を具備している。
【００１３】
そして、本発明では、上記ベース板のその係合部を垂下方向に設ける構成も可能である。
【００１４】
また、本発明では、１対の上記係合部に各々差し込まれる対をなす上記差し込み部を上記ホルダー部の背面側に突設させてなる構成も可能である。
【００１５】
さらに、本発明では、左右に分割された半割部材から上記ホルダー部を形成し、個々のそれら半割部材の背面側に対をなす上記差し込み部を別個に突設させて構成可能である。
【００１６】
さらにまた、本発明では、上記ベース板における複数の上記係合部を上下方向に逆ハ字状に形成し、上記ホルダー部を形成する各半割部材における上記差し込み部も、当該各半割部材にて上下方向に逆ハ字状に別個に形成する構成も可能である。
【００１７】
また、本発明では、上記ベース板に設けたその係合部は、横断面あり溝状の係合溝とし、上記ホルダー部に設けた差し込み部は、その係合溝にはまり上下にスライド可能な横断面あり状の突部とする構成も可能である。
【００１８】
しかも、本発明では、上記ベース部の裏面にフック部を設けたり、ベルトが横方向から挿通されるようそのフック部を構成可能である。
【発明の効果】
【００１９】
このように構成した本発明では、上方向に開放される開放部を有し上下方向に延びる複数の係合部をベース板の片面側に設け、その開放部からその係合部に着脱可能に差し込まれる差し込み部を当該背面側に突設させツールを保持するホルダー部を形成し、その係合部にその差し込み部を差し込んでホルダー部を上記ベース板に支持させる構成としたから、工具、パーツ、携帯器具などの外形形状に対応したホルダー部を複数形成すれば、作業に必要とする工具、パーツ、携帯器具などが変わっても対応したホルダー部を交換してベース板に支持させることが可能で、全体を交換することなく複数種類のツールを簡単に保持可能で、余分な費用の発生を抑え、取扱いも簡単となる。
【００２０】
そして、上記ベース板のその係合部を垂下方向に設ける構成では、所定の領域に多数のホルダー部を支持可能となる。
【００２１】
また、１対の上記係合部に各々差し込まれる対をなす上記差し込み部を上記ホルダー部の背面側に突設させてなる構成では、上記ホルダー部の支持強度が良好で確実となる。
【００２２】
さらに、上記ホルダー部を左右に分割された半割部材から形成し、個々のそれら半割部材の背面側に対をなす上記差し込み部を突設させた構成では、種々の形状のツールを保持し易い利点がある。
【００２３】
さらにまた、上記ベース板における複数の上記係合部を上下方向に逆ハ字状に形成し、上記ホルダー部を形成する各半割部材における上記差し込み部も、当該各半割部材にて上下方向に逆ハ字状に形成する構成では、先細りのツールの支持が可能となる。
【００２４】
しかも、上記ベース部の裏面にフック部を設けたり、そのフック部をベルトが横方向から挿通されるよう構成すれば、作業者の腰などに支持可能なツールホルダー具を簡単に得ることができる。
【発明を実施するための最良の形態】
【００２５】
以下、本発明の実施の形態を図面を参照して説明する。
【００２６】
図１および図２は本発明に係るツールホルダー具の実施の形態を示す概略正面図および断面図（図１中のＩＩ−ＩＩ間断面）である。
【００２７】
図１および図２において、例えばＡＢＳ樹脂やポリカーボネート樹脂などの比較的硬質の合成樹脂から四角形状に成型加工されたベース板１３は、この正面側（一方の面側）には縦置きした上端面から係合部としての係合溝１５が、下方に向けて所定の間隔で平行に複数形成されている。
【００２８】
それら係合溝１５は、図３に示すように、ベース板１３の上端面が開放部１７となってベース板１３の途中まで垂下するように延びるとともに横断面あり溝状の形状を有しており、ベース板１３の正面側から見えるスリット１５ａの幅はベース板１３内部の溝幅よりも狭い狭作スリットとなっている。
【００２９】
やはりＡＢＳ樹脂などの比較的硬質の合成樹脂から方形のカップ形に有底成型加工されたホルダー部１９は、図２および図５に示すように、その背面側に、係合溝１５の開放部１７から差し込まれる差し込み部としての突条２１を一体的に有しており、後述する工具２３その他を入れて保持するものである。
【００３０】
ホルダー部１９の突条２１は、横断面あり溝状の係合溝１５に簡単に差し込み可能な同様な横断面あり状を有し、係合溝１５の内径より僅かに小さい外径となっており、垂下して延びるように係合溝１５と同じか又は若干短く形成され、隣合う係合溝１５又は所定数を間に置いた２つの係合溝１５に円滑に差し込まれるよう１対突設されている。
【００３１】
ホルダー部１９から突設された突条２１は、その付け根が狭作され、係合溝１５にあってベース板１３の正面側から見えるスリット１５ａから突出し、図１、図２および図６（図１中のＶＩ−ＶＩ断面）に示すように、ホルダー部１９がベース板１３に着脱可能にスライド支持されるようになっている。図１中の符号２３は、ホルダー部１９に保持されたツールとしての工具である。
【００３２】
なお、ベース板１３の係合溝１５とこれに差し込まれるホルダー部１９の突条２１の形状は、厳密に上述した形状に限定されない。
【００３３】
例えば図４に示すように、ベース板１３の係合溝１５は円柱状や角柱状の空所とし、この内径より細い溝でベース板１３の正面側にスリット１５ａで連通する形状とし、ホルダー部１９の突条２１は円柱状や逆凸状にして狭い橋絡部でホルダー部１９から突出させる形状も可能であり、ホルダー部１９が係合溝１５に差し込みによってベース板１３に支持されその正面側のスリット１５ａから容易に抜けない構成で実施可能である。
【００３４】
突条２１を突設させたホルダー部１９と同様な構成の別のホルダー部２５は、図１および図２に示すように上下に貫通する筒状形状となっており、柄の部分を挿入してツールとしてのスパナ２７を保持するよう構成することも可能である。
【００３５】
さらに、別のホルダー部２９としては、図７に示すように、比較的硬質の合成樹脂から方形の箱形に成型加工するとともに、上側２／３を蓋部材２９ａとして切り欠き、ヒンジ２９ｂで蓋部材２９ａを連結して前方側へ開閉可能に構成し、携帯機器例えば携帯電話器（図示せず。）を収納可能に構成することも可能である。
【００３６】
図７中の符号２９ｃは携帯電話器のアンテナの突出孔であり、符号２９ｄは蓋部材２９ａの開閉を容易にするために作業者の指などを掛ける突起である。
【００３７】
このように構成した本発明に係るツールホルダー具では、四角形状のベース板１３には横断面あり溝状の係合溝１５を上端から下方に向けて所定の間隔で複数平行に形成する一方、ベース板１３の上端面から差し込まれる突条２１を当該背面側に突設させたホルダー部１９を形成し、ホルダー部１９の突条２１をベース板１３の係合溝１５に着脱可能に差し込んでなるから、背面側に突条２１を突設させ工具毎にその外形形状に合わせたホルダー部１９を複数形成しておけば、当初予定していない工具が必要になった場合、対応するホルダー部１９、２５、２９を空いている係合溝１５に差し込むだけで必要とする工具を確実に保持可能となる。
【００３８】
もし、空いている係合溝１５がない場合には、使用頻度の少ない工具を保持するホルダー部１９、２５、２９を抜き取って所望のホルダー部１９、２５、２９を差し込んで交換するだけで、必要とする工具を保持可能となる。
【００３９】
従って、必要な工具を保持するホルダー部１９、２５、２９を予め支持する複数種類のツールホルダー具を用意する必要がなく、作業に必要とする工具、パーツ、携帯器具などが変わっても簡単に交換保持可能で、余分な費用の発生を抑え、必要な工具を保持するホルダー部１９、２５、２９のみ交換すればよいから取扱いも簡単である。
【００４０】
しかも、ホルダー部１９、２５、２９支持位置の変更も可能であり、必要な工具の保持位置を自由に選定可能となる利点もある。
【００４１】
なお、上述した本発明に係るツールホルダー具は、図示はしないが、壁などにねじなど適当な手段で固定してもよい。
【００４２】
ところで、上述した構成のツールホルダー具では、ベース板１３にはこの上端から係合溝１５を下方に向けて垂下するように所定の間隔で複数平行に形成する構成であったが、本発明はこれに限定されない。
【００４３】
例えば、横断面あり溝状の係合溝３１ａ、３１ｂを、図８に示すように、上下方向に逆ハ字状に複数対をなすよう平行に形成する構成も可能である。
【００４４】
このように、係合溝３１ａ、３１ｂを逆ハ字状に延びるよう対をなして形成する構成では、図９に示すように、左右に半割した半割部材３５、３７で先細りの円筒状ホルダー部３３を構成し、各半割部材３５、３７の背面には係合溝３１ａ、３１ｂに差し込まれる突条３９ａ、３９ｂを同様に逆ハ字状の位置関係で対をなすよう別個に形成することになる。
【００４５】
このように、係合溝３１ａ、３１ｂを逆ハ字状に対をなすよう形成する一方、同様に逆ハ字状に対をなす突条３９ａ、３９ｂを有する半割部材３５、３７で円筒状ホルダー部３３を形成する構成では、各半割部材３５、３７が個別にベース板１３の係合溝３１ａ、３１ｂに開放部１７から下方に向けて斜めに移動支持されるとともに、先端部を互いに接近するよう保持可能となる。
【００４６】
そのため、図１０に示すように、先細りの外形形状を有する工具例えばペンチ４１などでも、容易に挿入保持可能となる。
【００４７】
さらにまた、本発明に係るツールホルダー具では、壁などに固定して使用される構成の他、図１１および図１２に示すような使用態様も可能である。
【００４８】
すなわち、図１２Ａに示すように、小型のベース板１３の裏面上部に、扁平なループ帯状のフック部４３ａを形成し、図１１のようにそのフック部４３にベルト４５を横方向から挿通可能に構成するものである。図１１中符号４５ａはベルト４５のバックル、符号４５ｂはバックルの止めピンがはまるパンチ孔である。
【００４９】
このように、ベース板１３の裏面上部にフック部４３ａを形成してベルト４５を挿通可能に構成すれば、作業者が腰に固定して支持させることが可能となり、上述した効果に加えて腰道具差しとして使用できる。
【００５０】
なお、ベース板１３の裏面上部には、図１２Ｂに示すようなコ字状のフック部４３ｂを形成することも可能であり、ベルト４５以外にも任意の固定部位の縁に係止可能となる。
【００５１】
それらフック部４３ａ、４３ｂは、ベース板１３に対して平面的に広い領域で重なるように固着せずに、一部分例えばヒンジ状態で連結固定し、図１２中の矢符Ｚで示すように、ベース板１３の下部がフック部４３ａ、４３ｂを支点にして変位可能に構成するなどしても良く、更に、ベルト４５以外の任意の固定部位に合わせて任意の形状で実施可能である。
【００５２】
そして、ベース板１３およびホルダー部１９、２５、２９、３３を形成する材料は、上述したものに限定されないが、比較的硬く、成形し易い合成樹脂が好適する。
【００５３】
腰道具差しとして使用する場合には、耐久性が良好で可撓性を有する合成樹脂材料によってベース部１３やフック部４３ａ、４３ｂなどを成形すれば、作業者の体に馴染み易く、体や手が当たっても痛くない。
【００５４】
また、ベース部１３およびホルダー部１９、２５、２９、３３は、保持するツールの外形形状に対応させて寸法や形状を任意に形成すれば良く、係合溝１５、３１ａ、３１ｂの長さも任意である。
【図面の簡単な説明】
【００５５】
【図１】本発明に係るツールホルダー具を示す概略正面図である。
【図２】図１のツールホルダー具の断面図（図１中のＩＩ−ＩＩ間断面）である。
【図３】図１のツールホルダー具におけるベース板の斜視図である。
【図４】本発明のツールホルダー具における係合溝と突部の他の実施例を示す要部断面図である。
【図５】図１のツールホルダー具におけるベース板とホルダー部との要部分解斜視図である。
【図６】図１のツールホルダー具の断面図（図１中のＶＩ−ＶＩ間断面）である。
【図７】本発明のツールホルダー具におけるホルダー部の他の例を示す斜視図である。
【図８】本発明のツールホルダー具におけるベース板の他の例を示す概略正面図である。
【図９】本発明のツールホルダー具におけるホルダー部の他の例を示す斜視図である。
【図１０】本発明に係るツールホルダー具の他の構成を示す概略正面図である。
【図１１】本発明に係るツールホルダー具の他の構成を示す概略正面図である。
【図１２】図１１に係るツールホルダー具の概略側面図である。
【図１３】従来のツールホルダー具（工具袋）を示す概略正面図である。
【符号の説明】
【００５６】
１  工具差し（ツールホルダー具）
３  方形基板
５  帯状体
７  ポケット
９、４５  ベルト
１１  縫い糸
１３  ベース板
１５、３１ａ、３１ｂ  係合溝（係合部：差し込み部）
１５ａ  スリット
１７  開放部
１９、２５、２９、３３  ホルダー部
２１、３９ａ、３９ｂ  突条（突部：差し込み部）
２３  工具
２７  スパナ（工具）
２９ａ  蓋部材
２９ｂ  ヒンジ
２９ｃ  突出孔
２９ｄ  突起
３５、３７  半割部材
４１  ペンチ（工具）
４３  フック部
４５ａ  バックル
４５ｂ  パンチ孔
【図１】
2005335030.tif 000003
【図２】
2005335030.tif 000004
【図３】
2005335030.tif 000005
【図４】
2005335030.tif 000006
【図５】
2005335030.tif 000007
【図６】
2005335030.tif 000008
【図７】
2005335030.tif 000009
【図８】
2005335030.tif 000010
【図９】
2005335030.tif 000011
【図１０】
2005335030.tif 000012
【図１１】
2005335030.tif 000013
【図１２】
2005335030.tif 000014
【図１３】
2005335030.tif 000015